(57)【特許請求の範囲】
【請求項１】
ＤＳＲＣ基地局と通信を行うＤＳＲＣ部、上記ＤＳＲＣ基地局から車両への提示情報を音声または表示によってドライバーに通知するカーナビゲーション部、及び上記ＤＳＲＣ部とのインターフェース及び上記カーナビゲーション部とのインターフェースを有し、これらのインターフェースを介して上記ＤＳＲＣ部及び上記カーナビゲーション部に接続され、上記ＤＳＲＣ基地局からの提示情報を処理して上記カーナビゲーション部に出力する情報処理装置を備え、上記カーナビゲーション部は、上記情報処理装置に処理可能な提示情報の情報種別を転送し、上記情報処理装置は、上記カーナビゲーション部から転送された処理可能な提示情報の情報種別を記憶し、上記ＤＳＲＣ基地局からの提示情報の情報種別を判定するＤＳＲＣ情報種別判定手段を有し、上記ＤＳＲＣ基地局からの提示情報の情報種別が走行支援情報である場合は、上記走行支援情報に対して上記カーナビゲーション部が処理可能な情報種別の提示情報への変換処理を実行し、この変換処理した提示情報を上記カーナビゲーション部へ出力するとともに、上記ＤＳＲＣ基地局からの提示情報の情報種別が走行支援情報以外の場合は、上記カーナビゲーション部に転送することを特徴とする安全運転支援情報提供車載装置。
【請求項２】
上記情報処理装置は、上記カーナビゲーション部が処理できる情報種別及び上記走行支援情報を示す情報種別を上記ＤＳＲＣ部に設定することを特徴とする請求項１記載の安全運転支援情報提供車載装置。
【請求項３】
光ビーコン基地局と通信を行う光ＶＩＣＳ部、上記光ビーコン基地局から車両への提示情報を音声または表示によってドライバーに通知するカーナビゲーション部、及び上記光ＶＩＣＳ部とのインターフェース及び上記カーナビゲーション部とのインターフェースを有し、これらのインターフェースを介して上記光ＶＩＣＳ部及び上記カーナビゲーション部に接続され、上記光ビーコン基地局からの提示情報を処理して上記カーナビゲーション部に出力する情報処理装置を備え、上記カーナビゲーション部は、上記情報処理装置に処理可能な提示情報の情報種別を転送し、上記情報処理装置は、上記カーナビゲーション部から転送された処理可能な提示情報の情報種別を記憶し、上記光ビーコン基地局からの提示情報の情報種別を判定する光ビーコン情報種別判定手段を有し、上記光ビーコン基地局からの提示情報の情報種別が走行支援情報である場合は、上記走行支援情報に対して上記カーナビゲーション部が処理可能な情報種別の提示情報への変換処理を実行し、この変換処理した提示情報を上記カーナビゲーション部へ出力するとともに、上記光ビーコン基地局からの提示情報の情報種別が走行支援情報以外の場合は、上記カーナビゲーション部に転送することを特徴とする安全運転支援情報提供車載装置。
【請求項４】
上記情報処理装置は、上記カーナビゲーション部が処理できる情報種別及び上記走行支援情報を示す情報種別を上記光ＶＩＣＳ部に設定することを特徴とする請求項３記載の安全運転支援情報提供車載装置。
【請求項５】
ＤＳＲＣ基地局と通信を行うＤＳＲＣ部、光ビーコン基地局から車両への提示情報を音声または表示によってドライバーに通知するカーナビゲーション部、及び上記ＤＳＲＣ部とのインターフェース及び上記カーナビゲーション部とのインターフェースを有し、これらのインターフェースを介して上記ＤＳＲＣ部及び上記カーナビゲーション部に接続され、上記ＤＳＲＣ基地局からの提示情報を処理して上記カーナビゲーション部に出力する情報処理装置を備え、上記カーナビゲーション部は、上記情報処理装置に処理可能な提示情報の情報種別を転送し、上記情報処理装置は、上記カーナビゲーション部から転送された処理可能な提示情報の情報種別を記憶し、上記ＤＳＲＣ基地局からの提示情報の情報種別を判定するＤＳＲＣ情報種別判定手段を有し、上記ＤＳＲＣ基地局からの提示情報の情報種別が走行支援情報である場合は、上記走行支援情報に対して上記カーナビゲーション部が処理可能な情報種別の提示情報への変換処理を実行し、この変換処理した提示情報を上記カーナビゲーション部へ出力するとともに、上記ＤＳＲＣ基地局からの提示情報の情報種別が走行支援情報以外の場合は、破棄することを特徴とする安全運転支援情報提供車載装置。
【請求項６】
上記情報処理装置は、上記走行支援情報を示す情報種別を上記ＤＳＲＣ部に設定することを特徴とする請求項５記載の安全運転支援情報提供車載装置。
【請求項７】
ＤＳＲＣ基地局と通信を行うＤＳＲＣ部、光ビーコン基地局と通信を行う光ＶＩＣＳ部、上記ＤＳＲＣ基地局及び上記光ビーコン基地局から車両への提示情報を音声または表示によってドライバーに通知するカーナビゲーション部、及び上記ＤＳＲＣ部とのインターフェース及び上記光ＶＩＣＳ部とのインターフェース及び上記カーナビゲーション部とのインターフェースを有し、これらのインターフェースを介して上記ＤＳＲＣ部及び上記光ＶＩＣＳ部及び上記カーナビゲーション部に接続され、上記ＤＳＲＣ基地局及び上記光ビーコン基地局からの提示情報を処理して上記カーナビゲーション部に出力する情報処理装置を備え、上記カーナビゲーション部は、上記情報処理装置に処理可能な提示情報の情報種別を転送し、上記情報処理装置は、上記カーナビゲーション部から転送された処理可能な提示情報の情報種別を記憶し、上記ＤＳＲＣ基地局及び上記光ビーコン基地局からの提示情報の情報種別を判定する情報種別判定手段を有し、上記ＤＳＲＣ基地局及び上記光ビーコン基地局からの提示情報の情報種別が走行支援情報である場合は、上記走行支援情報に対して上記カーナビゲーション部が処理可能な情報種別の提示情報への変換処理を実行し、この変換処理した提示情報を上記カーナビゲーション部へ出力するとともに、上記ＤＳＲＣ基地局及び上記光ビーコン基地局からの提示情報の情報種別が走行支援情報以外の場合は、上記カーナビゲーション部に転送することを特徴とする安全運転支援情報提供車載装置。
【請求項８】
上記情報処理装置は、上記カーナビゲーション部が処理できる情報種別を上記ＤＳＲＣ部及び上記光ＶＩＣＳ部に各別に設定するとともに、上記走行支援情報を示す情報種別を上記ＤＳＲＣ部及び上記光ＶＩＣＳ部にそれぞれ設定することを特徴とする請求項７記載の安全運転支援情報提供車載装置。
【請求項９】
上記情報種別は、アプリケーションタイプまたはコンテンツタイプであることを特徴とする請求項１または請求項７記載の安全運転支援情報提供車載装置。
【請求項１０】
上記情報種別は、上記光ビーコン基地局による提供情報種別ＩＤであることを特徴とする請求項３または請求項５または請求項７記載の安全運転支援情報提供車載装置。
【請求項１１】
上記情報処理装置は、上記変換処理として、上記ＤＳＲＣ部からの提示情報を上記カーナビゲーション部が処理可能な上記光ビーコン基地局からの情報種別の提示情報への変換処理を実行することを特徴とする請求項５記載の安全運転支援情報提供車載装置。
【請求項１２】
ＤＳＲＣ基地局と通信を行うＤＳＲＣ部と接続されるインターフェースまたは光ビーコン基地局と通信を行う光ＶＩＣＳ部と接続されるインターフェース、及び上記ＤＳＲＣ基地局または上記光ビーコン基地局から車両への提示情報を音声または表示によってドライバーに通知するカーナビゲーション部と接続されるインターフェースを有し、上記ＤＳＲＣ基地局または上記光ビーコン基地局からの提示情報を処理して上記カーナビゲーション部に出力する情報処理装置において、上記情報処理装置は、上記カーナビゲーション部から転送された処理可能な提示情報の情報種別を記憶し、上記ＤＳＲＣ基地局または上記光ビーコン基地局からの提示情報の情報種別を判定する情報種別判定手段を有し、上記ＤＳＲＣ基地局または上記光ビーコン基地局からの提示情報の情報種別が走行支援情報である場合は、上記走行支援情報に対して上記カーナビゲーション部が処理可能な情報種別の提示情報への変換処理を実行し、この変換処理した提示情報を上記カーナビゲーション部へ出力するとともに、上記ＤＳＲＣ基地局または上記光ビーコン基地局からの提示情報の情報種別が走行支援情報以外の場合は、上記カーナビゲーション部に転送することを特徴とする情報処理装置。
【発明の詳細な説明】
【技術分野】
【０００１】
この発明は、光ビーコンやＤＳＲＣ（Ｄｅｄｉｃａｔｅｄ  Ｓｈｏｒｔ  Ｒａｎｇｅ  Ｃｏｍｍｕｎｉｃａｔｉｏｎ）による路車間通信システムにより、ドライバーに安全運転支援情報を提供する安全運転情報提供車載装置及び情報処理装置に関するものである。
【背景技術】
【０００２】
車両に道路から情報を提供する路車協調による通信システムとして、ＶＩＣＳ（道路交通情報通信システム）、ＤＳＲＣ応用システムが実用化されている。ＶＩＣＳは、ＶＩＣＳ車載器を備えるカーナビゲーション（以下、カーナビという）により、ＤＳＲＣ応用システムは、カーナビとＤＳＲＣ車載器で構成されるＩＴＳ車載器により、ドライバーに情報提供が可能となっている。
例えば、ＩＴＳ車載器は、社団法人  電子情報技術産業協会により「ＩＴＳ車載器標準仕様  ＪＥＩＴＡ  ＴＴ−６００１」の標準規格として定められている。
このＩＴＳ標準車載器は、ＤＳＲＣ部とカーナビ部とで構成される。ＤＳＲＣ部はＤＳＲＣ基地局からの車両への提示情報をＤＳＲＣアンテナで受信し、ＤＳＲＣデータ送受信部からカーナビインターフェース部を介し、カーナビ部に転送する。カーナビ部は、ＤＳＲＣ部から転送された提示情報をＤＳＲＣインターフェース部を介し、提示情報処理部によってディスプレーやスピーカで表示、発声する。
近年においては、交通渋滞情報や、事故情報の提供だけではなく、交差点やカーブなど交通事故が置きやすい場所で、路側に設置されたセンサやカメラで検知した車両、歩行者等の詳細情報を道路情報、交差点情報とともに安全に関する情報として車両へ提供し、ドライバーに注意を促すサービスの提案や実証実験が行われている。
例えば、特許文献１には、ＤＳＲＣを用いた基地局からの情報に基づき、右折衝突防止支援サービスを実現する車載システムが開示されている。
【０００３】
【特許文献１】特開２００５−１１２５２号公報（第４〜８頁、図１）
【発明の開示】
【発明が解決しようとする課題】
【０００４】
従来技術のカーナビを中心とした情報提供システムでは、「ＩＴＳ車載器標準仕様  ＪＥＩＴＡ  ＴＴ−６００１」の如く、基地局から車両に提供する情報は、音声、画像、文字に限定されている。従って、特許文献１に示されるような、車両、歩行者の位置、速度、進行方向等の詳細情報、道路情報、交差点情報等の走行支援情報の受信処理は考慮されていない。
情報機器であるカーナビゲーションシステムでは、例えば、目的地までの経路探索中はシステム負荷が高く、提供される情報更新期間が１００ｍＳで処理遅延時間が０．３ｍＳのようなリアルタイム性が要求される処理の実行は困難であり、総じて安全運転支援情報提供サービスに要求される信頼性が確保されていなかった。
一方、特許文献１に開示されている車載システムは、車両用情報提供装置として専用のシステムであり、汎用性がなく、「ＩＴＳ車載器標準仕様  ＪＥＩＴＡ  ＴＴ−６００１」の数々のＤＳＲＣ応用サービスが実現できない問題があった。
また、光ビーコン基地局からの走行支援情報についても、受信した走行支援情報と自車両の状況を基にしたドライバーに対する情報提供のための制御処理のリアルタイム性と信頼性確保は、情報機器であるカーナビでは困難であった。
【０００５】
この発明は、上述のような課題を解決するためになされたものであり、走行支援情報をリアルタイム性と信頼性を確保してドライバーに提供する安全運転支援情報提供車載装置及び情報処理装置を得ることを目的にしている。
【課題を解決するための手段】
【０００６】
この発明に係わる安全運転支援情報提供車載装置においては、ＤＳＲＣ基地局と通信を行うＤＳＲＣ部、ＤＳＲＣ基地局から車両への提示情報を音声または表示によってドライバーに通知するカーナビゲーション部、及びＤＳＲＣ部とのインターフェース及びカーナビゲーション部とのインターフェースを有し、これらのインターフェースを介してＤＳＲＣ部及びカーナビゲーション部に接続され、ＤＳＲＣ基地局からの提示情報を処理してカーナビゲーション部に出力する情報処理装置を備え、カーナビゲーション部は、情報処理装置に処理可能な提示情報の情報種別を転送し、情報処理装置は、カーナビゲーション部から転送された処理可能な提示情報の情報種別を記憶し、ＤＳＲＣ基地局からの提示情報の情報種別を判定するＤＳＲＣ情報種別判定手段を有し、ＤＳＲＣ基地局からの提示情報の情報種別が走行支援情報である場合は、走行支援情報に対してカーナビゲーション部が処理可能な情報種別の提示情報への変換処理を実行し、この変換処理した提示情報をカーナビゲーション部へ出力するとともに、ＤＳＲＣ基地局からの提示情報の情報種別が走行支援情報以外の場合は、カーナビゲーション部に転送するものである。
【発明の効果】
【０００７】
この発明は、以上説明したように、ＤＳＲＣ基地局と通信を行うＤＳＲＣ部、ＤＳＲＣ基地局から車両への提示情報を音声または表示によってドライバーに通知するカーナビゲーション部、及びＤＳＲＣ部とのインターフェース及びカーナビゲーション部とのインターフェースを有し、これらのインターフェースを介してＤＳＲＣ部及びカーナビゲーション部に接続され、ＤＳＲＣ基地局からの提示情報を処理してカーナビゲーション部に出力する情報処理装置を備え、カーナビゲーション部は、情報処理装置に処理可能な提示情報の情報種別を転送し、情報処理装置は、カーナビゲーション部から転送された処理可能な提示情報の情報種別を記憶し、ＤＳＲＣ基地局からの提示情報の情報種別を判定するＤＳＲＣ情報種別判定手段を有し、ＤＳＲＣ基地局からの提示情報の情報種別が走行支援情報である場合は、走行支援情報に対してカーナビゲーション部が処理可能な情報種別の提示情報への変換処理を実行し、この変換処理した提示情報をカーナビゲーション部へ出力するとともに、ＤＳＲＣ基地局からの提示情報の情報種別が走行支援情報以外の場合は、カーナビゲーション部に転送するので、経路探索中はシステム負荷が高いカーナビの負荷を低減し、走行支援情報をリアルタイム性と信頼性を確保してドライバーに提供することができるという効果を奏する。
【発明を実施するための最良の形態】
【０００８】
実施の形態１．
図１は、この発明の実施の形態１による安全運転支援情報提供車載装置を示す構成図である。
図１において、安全運転支援情報提供車載装置１１は、ＤＳＲＣ基地局との通信を行うＤＳＲＣ部３と、ドライバーに車両への提示情報を通知するカーナビ部６と、提示情報が走行支援情報である場合にその走行支援情報を処理する情報処理装置１３とにより構成される。ここで、ＤＳＲＣ部３、カーナビ部６は、ＩＴＳ車載器を構成するものである。
ＤＳＲＣ部３は、ＤＳＲＣ基地局からの車両への提示情報をＤＳＲＣアンテナ２で受信し、ＤＳＲＣデータ送受信部４からカーナビインターフェース部５を介し、情報処理装置１２に転送する。
情報処理装置１２は、ＤＳＲＣ部３から転送された提示情報をＤＳＲＣインターフェース部１６を介して受信し、ＤＳＲＣ情報種別判定手段１５によって情報種別を判定した後、走行支援情報であれば、走行支援情報制御処理部１４に、その他の情報であれば、カーナビインターフェース部１３に出力する。カーナビインターフェース部１３は、この転送された提示情報をカーナビ部６に出力する。走行支援情報制御処理部１４は、情報種別が走行支援情報であった場合に、この走行支援情報をドライバーに情報提供するための制御処理を実行する。
カーナビ部６は、ＤＳＲＣインターフェース部８を介して受信し、提示情報処理部７によってディスプレー９やスピーカ１０で表示及び発声する。
【０００９】
次に、図１を用い、安全運転支援後方提供車載装置１１の動作について具体的に説明する。
電源投入後、カーナビ部６は、処理可能な提示情報の種別をＤＳＲＣインターフェース部８を介し、情報処理装置１２に転送する。
情報処理装置１２は、カーナビ部６から転送された情報の種別をＤＳＲＣインターフェース部１６を通じ、ＤＳＲＣ部３に転送すると共にカーナビ部６が処理可能な情報種別として保存する。加えて、走行支援情報の種別をＤＳＲＣ部３に新たに転送する。
ＤＳＲＣ部３においては、情報処理装置１２より転送された、カーナビ部６由来の提示情報と、情報処理装置１２由来の走行支援情報を受信可能情報種別と定義し、これらの種別の情報を基地局より受信する。ここで、情報の種別とは、「ＩＴＳ車載器標準仕様  ＪＥＩＴＡ  ＴＴ−６００１」のプッシュ型情報配信アプリのアプリケーションタイプやコンテンツタイプを指す。
【００１０】
ＤＳＲＣ部３は、ＤＳＲＣ通信にて受信した基地局からの車両への提示情報の情報種別が受信可能な情報種別であった場合、ＤＳＲＣデータ送受信部４は、カーナビインターフェース部５を通じ、情報処理装置１２に転送する。
【００１１】
情報処理装置１２のＤＳＲＣ情報種別判定手段１５は、ＤＳＲＣ部３からの提示情報を判定し、走行支援情報である場合には、走行支援情報制御処理部１４に情報を提供する。また、受信した情報が走行支援情報以外の場合には、カーナビインターフェース部１３を通じ、カーナビ部６に転送する。
走行支援情報制御処理部１４は、走行支援情報をドライバーに情報提供するための制御処理を実行する。なお、本実施の形態では、制御処理内容については言及しないが、道路情報や、他車両の情報、自車両の情報を統合的に判断し、ドライバーに対して安全運転支援情報の提供が必要か否かを判断する。安全運転支援情報の提供が必要と判断した場合、カーナビ部６が処理可能な情報種別の基地局から車両への提示情報にして、カーナビインターフェース部１３を通じ、カーナビ部６へ転送する。
【００１２】
カーナビ部６の提示情報処理部７は、転送された情報をディスプレー９やスピーカ１０で表示、発声して、ドライバーに通知する。
【００１３】
実施の形態１によれば、道路からのデータを安全運転支援に関わる走行支援情報か否かを判定し、走行支援情報の場合には情報処理装置がドライバーに対する情報提供のための制御処理を実行し、道路からの提示情報としてカーナビに提供することにより、標準化されているＩＴＳ車載器対応のカーナビを用いて、安価な安全運転支援情報提供可能な車載装置を構築することが可能となる。
また、すでに車両に取り付けられているＩＴＳ車載器を備えたカーナビにも、情報処理装置を装着するのみで安全運転支援情報提供可能な車載装置を構築することができる。
加えて、情報処理装置で安全走行支援情報を専用に制御処理することにより、カーナビで制御処理を行う構成より、信頼性の高い安全運転支援情報提供可能な車載装置を構築することができる。
【００１４】
実施の形態２．
図２は、この発明の実施の形態２による安全運転支援情報提供車載装置を示す構成図である。
図２において、安全運転支援情報提供車載装置１７は、光ビーコン基地局との通信を行う光ＶＩＣＳ部１９と、ドライバーに車両への提示情報を通知するカーナビ部２７と、提示情報が走行支援情報である場合にその走行支援情報を処理する情報処理装置２２とにより構成される。
光ＶＩＣＳ部１９は、光ビーコン基地局からの車両への提示情報を光アンテナ１８で受信し、光ＶＩＣＳデータ送受信部２０からカーナビインターフェース部２１を介し、情報処理装置２２に転送する。
情報処理装置２２は、光ＶＩＣＳ部１９から転送された提示情報を光ＶＩＣＳインターフェース部２６を介して受信し、光ビーコン情報種別判定手段２５によって情報種別を判定した後、走行支援情報であれば、走行支援情報制御処理部２４に、その他の情報であれば、カーナビインターフェース部２３に出力する。カーナビインターフェース部２３は、この転送された提示情報をカーナビ部２７に出力する。走行支援情報制御処理部２４は、情報種別が走行支援情報であった場合に、この走行支援情報をドライバーに情報提供するための制御処理を実行する。
カーナビ部２７は、光ＶＩＣＳインターフェース部２８を介して受信し、提示情報処理部２９によってディスプレー９やスピーカ１０で表示及び発声する。
【００１５】
次に、図２を用い、安全運転支援後方提供車載装置１７の動作について具体的に説明する。
電源投入後、カーナビ部２７は、処理可能な提示情報の種別を光ＶＩＣＳインターフェース部２８を介し、情報処理装置２２に転送する。情報処理装置２２は、カーナビ部２７から転送された情報の種別を光ＶＩＣＳインターフェース部２６を通じ、光ＶＩＣＳ部１９に転送すると共にカーナビ部２７が処理可能な情報種別として保存する。加えて、走行支援情報の種別を光ＶＩＣＳ部１９に新たに転送する。
光ＶＩＣＳ部１９においては、情報処理装置２２より転送された、カーナビ部２７由来情報と、情報処理装置２２由来の走行支援情報を受信可能な情報種別と定義し、これらの情報を基地局より受信する。ここで、情報の種別とは光ビーコン基地局による提供情報種別ＩＤを指す。
【００１６】
光ＶＩＣＳ部１９は、光通信にて受信した光ビーコン基地局から送信される情報の情報種別が受信可能な情報種別であった場合、光ＶＩＣＳデータ送受信部２０はカーナビインターフェース部２１を通じ、情報処理装置２２に転送する。
【００１７】
情報処理装置２２の光ビーコン情報種別判定手段２５は、光ＶＩＣＳ部１９からの情報を判定し、走行支援情報である場合には、走行支援情報制御処理部２４に情報を提供する。また、受信した情報が走行支援情報以外の場合には、カーナビインターフェース部２３を通じ、カーナビ部２７に転送する。
走行支援情報制御処理部２４は、走行支援情報をドライバーに情報提供するための制御処理を実行する。本実施の形態では、制御処理内容については言及しないが、道路情報や、他車両の情報、自車両の情報を統合的に判断し、ドライバーに対して安全運転支援情報の提供が必要か否かを判断する。安全運転支援情報の提供が必要と判断した場合、カーナビ部２７が処理可能な情報種別の光ビーコン基地局から車両への提示情報にして、カーナビインターフェース部２３を通じ、カーナビ部２７へ転送する。
【００１８】
カーナビ部２７の提示情報処理部２９は、転送された情報をディスプレー９やスピーカ１０で表示、発声して、ドライバーに通知する。
【００１９】
実施の形態２によれば、道路からのデータを安全運転支援に関わる走行支援情報か否かを判定し、走行支援情報の場合には情報処理装置がドライバーに対する情報提供のための制御処理を実行し、道路からの提示情報としてカーナビに提供することにより、光ＶＩＣＳ対応のカーナビを用いて、安価な安全運転支援情報提供可能な車載装置を構築することが可能となる。
また、すでに車両に取り付けられている光ＶＩＣＳを備えたカーナビにも、情報処理装置を装着するのみで安全運転支援情報提供可能な車載装置を構築することができる。
【００２０】
実施の形態３．
図３は、この発明の実施の形態３による安全運転支援情報提供車載装置を示す構成図である。
図３において、安全運転支援情報提供車載装置３０は、実施の形態１と同一のＤＳＲＣ部３と、実施の形態２と同一のカーナビ部２７と、提示情報が走行支援情報である場合にその走行支援情報を処理する情報処理装置３１とより構成される。
情報処理装置３１は、ＤＳＲＣ部３から転送された提示情報を、ＤＳＲＣインターフェース部１６を介して受信し、ＤＳＲＣ情報種別判定手段１５によって情報種別を判定した後、走行支援情報であれば、走行支援情報制御処理部３２に、その他の情報であれば、カーナビインターフェース部２３に出力する。カーナビインターフェース部２３は、この転送された提示情報をカーナビ部６に出力する。走行支援情報制御処理部３２は、情報種別が走行支援情報であった場合に、この走行支援情報をドライバーに情報提供するための制御処理を実行する。
【００２１】
次に、図３を用い、安全運転支援後方提供車載装置３０の動作について具体的に説明する。
電源投入後、カーナビ部２７は、処理可能な提示情報の種別を、光ＶＩＣＳインターフェース部２８を介し、情報処理装置３１に転送する。情報処理装置３１は、カーナビ部２７から転送された情報の種別をカーナビ部２７が処理可能な情報種別として保存する。加えて、走行支援情報の種別をＤＳＲＣ部３に新たに転送する。
ＤＳＲＣ部３においては、情報処理装置３１より転送された、情報処理装置３１由来の走行支援情報を受信可能情報種別と定義し、基地局より受信する。ここで、情報の種別とは、カーナビ部２７と情報処理装置３１は、光ビーコン基地局による提供情報種別ＩＤを指し、ＤＳＲＣ部３と情報処理装置３１は、ＩＴＳ車載器標準仕様  ＪＥＩＴＡ  ＴＴ−６００１」のプッシュ型情報配信アプリのアプリケーションタイプやコンテンツタイプを指す。
【００２２】
ＤＳＲＣ部３は、ＤＳＲＣ通信にて受信した基地局からの情報の情報種別が受信可能な情報種別であった場合、ＤＳＲＣデータ送受信部４は、カーナビインターフェース部５を通じ、情報処理装置３１に転送する。
【００２３】
情報処理装置３１のＤＳＲＣ情報種別判定手段１５は、ＤＳＲＣ部３からの情報を判定し、走行支援情報を確認し、走行支援情報制御処理部３２に情報を提供する。なお、情報種別が走行支援情報以外の場合は、受信した情報を破棄する。
走行支援情報制御処理部３２は、走行支援情報をドライバーに情報提供するための制御処理を実行する。なお、本実施の形態では、制御処理内容については言及しないが、道路情報や、他車両の情報、自車両の情報を統合的に判断し、ドライバーに対して安全運転支援情報の提供が必要か否かを判断する。安全運転支援情報の提供が必要と判断した場合、カーナビ部２７が処理可能な情報種別の光ビーコン基地局から車両への提示情報として、カーナビインターフェース部２３を通じ、カーナビ部２７へ転送する。
【００２４】
カーナビ部２７の提示情報処理部２９は、転送された情報をディスプレー９やスピーカ１０で表示、発声してドライバーに通知する。
【００２５】
実施の形態３によれば、ＤＳＲＣ車載器とのインターフェースを有しない従来の光ＶＩＣＳのみを備えたカーナビであっても、ＤＳＲＣを用いた安全運転支援情報提供が可能となる。
【００２６】
実施の形態４．
図４は、この発明の実施の形態４による安全運転支援情報提供車載装置を示す構成図である。
図４において、安全運転支援情報提供車載装置３３は、ＤＳＲＣ基地局との通信を行うＤＳＲＣ部３と、光ビーコン基地局との通信を行う光ＶＩＣＳ部１９と、ドライバーに車両への提示情報を通知するカーナビ部３８と、提示情報が走行支援情報である場合にその走行支援情報を処理する情報処理装置３４とにより構成され、ＤＳＲＣ部３、カーナビ部３８は、図１に示すＩＴＳ車載器を構成するものである。
なお、ＤＳＲＣ部３は、図１におけるものと、光ＶＩＣＳ部１９は、図２におけるものとそれぞれ同一の構成である。
情報処理装置３４は、ＤＳＲＣ部３から転送された提示情報を、ＤＳＲＣインターフェース部１６を介して受信するとともに、光ＶＩＣＳ部１９から転送された提示情報を、光ＶＩＣＳインターフェース部２６を介して受信する。これらの情報について情報種別判定手段３７によって情報種別を判定した後、走行支援情報であれば、走行支援情報制御処理部３６に、その他の情報であれば、カーナビインターフェース部３５に出力する。カーナビインターフェース部３５は、この転送された提示情報をカーナビ部３８に出力する。走行支援情報制御処理部３６は、情報種別が走行支援情報であった場合に、この走行支援情報をドライバーに情報提供するための制御処理を実行する。
カーナビ部３８は、情報処理装置３４から転送される提示情報を、情報装置インターフェース部３９を介して受信し、提示情報処理部４０により、ディスプレー９やスピーカ１０で表示、発声して、ドライバーに通知する。
【００２７】
次に、図４を用い、安全運転支援後方提供車載装置３３の動作について具体的に説明する。
電源投入後、カーナビ部３８は、処理可能な提示情報の種別を情報装置インターフェース部３９を介し、情報処理装置３４に転送する。情報処理装置３４は、カーナビ部３９から転送された情報の種別をＤＳＲＣインターフェース部１６を通じ、ＤＳＲＣ部３に転送すると共にカーナビ部３８が処理可能な情報種別として保存する。加えて、走行支援情報の種別をＤＳＲＣ部３に新たに転送する。
ＤＳＲＣ部３においては、情報処理装置３４より転送された、カーナビ部３８由来の提示情報と、情報処理装置３４由来の走行支援情報を受信可能な情報種別と定義し、これらの情報を基地局より受信する。ここで、情報の種別とは、「ＩＴＳ車載器標準仕様  ＪＥＩＴＡ  ＴＴ−６００１」のプッシュ型情報配信アプリのアプリケーションタイプやコンテンツタイプを指す。
【００２８】
加えて、カーナビ部３８は、処理可能な提示情報の種別を情報装置インターフェース部３９を介し、情報処理装置３４に転送する。情報処理装置３４は、カーナビ部３８から転送された情報の種別を光ＶＩＣＳインターフェース部２６を通じ、光ＶＩＣＳ部１９に転送すると共にカーナビ部３８が処理可能な情報種別として保存する。加えて、走行支援情報の種別を光ＶＩＣＳ部１９に新たに転送する。
光ＶＩＣＳ部１９においては、情報処理装置３４より転送された、カーナビ部３８由来情報と、情報処理装置３４由来の走行支援情報を受信可能な情報種別と定義し、基地局よりこれらの情報を受信する。ここで、情報の種別とは光ビーコン基地局による提供情報種別ＩＤを指す。
【００２９】
ＤＳＲＣ部３は、ＤＳＲＣ通信にて受信した基地局からの情報の情報種別が受信可能な情報種別であった場合、ＤＳＲＣデータ送受信部４により、カーナビインターフェース部５を通じ、情報処理装置３４に転送する。
【００３０】
光ＶＩＣＳ部１９は、光通信にて受信した光ビーコン基地局からの情報の情報種別が受信可能な情報種別であった場合、光ＶＩＣＳデータ送受信部２０により、カーナビインターフェース部２１を通じ、情報処理装置３４に転送する。
【００３１】
情報処理装置３４の情報種別判定手段１５は、ＤＳＲＣ部３からの情報を判定し、走行支援情報であった場合には、走行支援情報制御処理部３６に情報を提供する。また、受信した情報が走行支援情報以外の場合には、カーナビインターフェース部３５を通じ、カーナビ部３８に転送する。
走行支援情報制御処理部３６は、走行支援情報をドライバーに情報提供するための制御処理を実行する。なお、本実施の形態では、制御処理内容については言及しないが、道路情報や、他車両の情報、自車両の情報を統合的に判断し、ドライバーに対して安全運転支援情報の提供が必要か否かを判断する。安全運転支援情報の提供が必要と判断した場合、カーナビ部３８が処理可能な情報種別の基地局から車両への提示情報としてカーナビインターフェース部３５を通じ、カーナビ部３８へ転送する。
【００３２】
加えて、情報処理装置３４における情報種別判定手段３７は、光ＶＩＣＳ部１９からの情報を判定し、走行支援情報であった場合には、走行支援情報制御処理部３６に情報を提供する。また、受信した情報が走行支援情報以外の場合には、カーナビインターフェース部３５を通じ、カーナビ部３８に転送する。
走行支援情報制御処理部３６は、走行支援情報をドライバーに情報提供するための制御処理を実行する。なお、本実施の形態では、制御処理内容については言及しないが、道路情報や、他車両の情報、自車両の情報を統合的に判断し、ドライバーに対して安全運転支援情報の提供が必要か否かを判断する。安全運転支援情報の提供が必要と判断した場合、カーナビ部３８が処理可能な情報種別の光ビーコン基地局から車両への提示情報としてカーナビインターフェース部３５を通じ、カーナビ部３８へ転送する。
【００３３】
カーナビ部３８の提示情報処理部４０は、情報装置インターフェース部３９を介して、転送された情報をディスプレー９やスピーカ１０で表示、発声して、ドライバーに通知する。
【００３４】
なお、実施の形態４において、カーナビ部３８は、情報装置インターフェース部３９ではなく、実施の形態１、２に示す、ＤＳＲＣインターフェース部８、光ＶＩＣＳインターフェース部２８各々を有する構成とすることも可能である。
【００３５】
実施の形態４によれば、ＤＳＲＣ及び光ＶＩＣＳのいずれかを用いた安全運転支援情報提供が可能となる。
【図面の簡単な説明】
【００３６】
【図１】この発明の実施の形態１による安全運転支援情報提供車載装置を示す構成図である。
【図２】この発明の実施の形態２による安全運転支援情報提供車載装置を示す構成図である。
【図３】この発明の実施の形態３による安全運転支援情報提供車載装置を示す構成図である。
【図４】この発明の実施の形態４による安全運転支援情報提供車載装置を示す構成図である。
【符号の説明】
【００３７】
１  ＩＴＳ標準車載器
２  ＤＳＲＣアンテナ
３  ＤＳＲＣ部
４  ＤＳＲＣデータ送受信部
５  ＤＳＲＣ部におけるカーナビインターフェース部
６  カーナビ部
７  提示情報処理部
８  ＤＲＳＣインターフェース部
９  ディスプレー
１０  スピーカ
１１  安全運転支援情報提供車載装置
１２  情報処理装置
１３  カーナビインターフェース部
１４  走行支援情報制御処理部
１５  ＤＳＲＣ情報種別判定手段
１６  ＤＳＲＣインターフェース部
１７  安全運転支援情報提供車載装置
１８  光アンテナ
１９  光ＶＩＣＳ部
２０  光ＶＩＣＳデータ送受信部
２１  カーナビインターフェース部
２２  情報処理装置
２３  カーナビインターフェース部
２４  走行支援情報制御処理部
２５  光ビーコン情報種別判定手段
２６  光ＶＩＣＳインターフェース部
２７  カーナビ部
２８  カーナビ部における光ＶＩＣＳインターフェース部
２９  提示情報処理部
３０  安全運転支援情報提供車載装置
３１  情報処理装置
３２  走行支援情報制御処理部
３３  安全運転支援情報提供車載装置
３４  情報処理装置
３５  カーナビインターフェース部
３６  走行支援情報制御処理部
３７  情報種別判定手段
３８  カーナビ部
３９  情報処理装置インターフェース部
４０  提示情報処理部
【図１】
0004601662.tif 000002
【図２】
0004601662.tif 000003
【図３】
0004601662.tif 000004
【図４】
0004601662.tif 000005